(57)【要約】【課題】  ドリンクホルダーに置かれた容器内の飲料を保温あるいは保冷機能を持たせた上で、ドリンクホルダーに照明手段を配置するに際して、その照明光が前席シートに着座した運転者の目障りになることを抑制し、また、その照明手段がフロントガラスやサイドガラスに映り込むことを抑制できるようにする。【解決手段】    車室前部のフロントガラス２０あるいはサイドウインド２６の下方側で、空調ダクトの開口部４３Ｄが形成された車室内のインストルメントパネル１０あるいはドアトリムに設置されており、飲料の容器８０を保持可能とする凹部３７が形成されてなる車両用ドリンクホルダー４３Ｄにおいて、ドリンクホルダー４３Ｄは、空調ダクトの開口部４３Ｄからの空調風がドリンクホルダー４３Ｄに保持された飲料の容器８０に接触可能となるよう設置されるとともに、ドリンクホルダー４３Ｄには、凹部３７内に照明光を照射する発光体５１を具備する照明手段が設けられており、発光体５１は、車室内の前席シートに着座した運転者の視界に直接に入らないように、設定されている。【選択図】図２
2006111101.tif 000002
【特許請求の範囲】
【請求項１】
車室前部のフロントガラスあるいはサイドガラスの下方側で、空調ダクトの開口部が形成された車室内のインストルメントパネルあるいはドアトリムに設置されており、飲料の容器を保持可能とする凹部が形成されてなる車両用ドリンクホルダーにおいて、
上記ドリンクホルダーは、上記空調ダクトの開口部からの空調風が上記ドリンクホルダーに保持された上記飲料の容器に接触可能となるよう設置されるとともに、
上記ドリンクホルダーには、上記凹部内に照明光を照射する発光体を具備する照明手段が設けられており、上記発光体は、車室内の前席シートに着座した運転者の視界に直接に入らないように、設定されていることを特徴とする車両用ドリンクホルダー。
【請求項２】
上記ドリンクホルダーは、インストルメントパネルの中央部、上記中央部に対し運転者から見てインストルメントパネルの左側部、上記中央部に対し運転者から見てインストルメントパネルの右側部の内少なくとも１つに設置されていることを特徴とする請求項１に記載の車両用ドリンクホルダー。
【請求項３】
上記発光体は、上記凹部の車室前方側に対して照明光を照射するように設けられていることを特徴とする請求項１あるいは２に記載の車両用ドリンクホルダー。
【請求項４】
上記ドリンクホルダーは、上記インストルメントパネルに対して格納自在に設けられ、上記インストルメントパネルに対して着脱自在に設けられ、あるいは上記インストルメントパネル自体に形成されていることを特徴とする請求項１に記載の車両用ドリンクホルダー。
【発明の詳細な説明】
【技術分野】
【０００１】
この発明は、自動車等の車両において、飲料用のコップ、缶、あるいはペットボトル等を差し込んで倒れないように保持しておける車両に設けられるカップホルダー等のドリンクホルダー、特に、照明手段が設定されたドリンクホルダーに関する。
【背景技術】
【０００２】
近年、自動車等の車両においては、夜間等に車室内を照明する照明手段についても、車
室内のインテリア性を高め、また、照明時により落ち着いた雰囲気を醸し出すことなどを
目的に、従来一般的ないわゆる直接照明に代えて間接照明を取り入れることが考えられて
いる。この間接照明では、直接照明のように照明光を出射する照明部材からの直接光で照
明するのではなく、照明部材からの照明光を近傍の壁面等で反射させ、その反射光を利用
して照明が行われので、直接照明の場合のように車室全体や照明対象およびその近傍領域
が過度に明るくなることを抑制でき、より落ち着いた和らいだ雰囲気を醸し出すことがで
きる。
【０００３】
また、夜間等では車室内が非常に暗いことがあり、そのような場合ドリンクホルダーが見え難い事が多く、ドリンクホルダーにコップを差し込んだり、差し込まれているコップを取り出したりするのが難しい。そこで、従来、ドリンクホルダーに照明手段を備えたものが知られている。
例えば、特許文献１には、インストルメントパネルの中央のコンソールボックス本体側縁で、インストルメントパネルの下部にドリンクホルダーが設けられ、そのホルダー部が引き出し可能に形成され、引き出しの把手部に照明手段であるランプを配置したものが開示されている。
【特許文献１】特開平９−３０３１０号公報
【発明の開示】
【発明が解決しようとする課題】
【０００４】
ところで、ドリンクホルダーには、エアコン等の空調ダクトの開口部からの空調風をドリンクホルダーに保持された飲料の容器に接触させることで飲料の保温あるいは保冷機能を持たす機能が必要とされる場合が多々ある。
しかしながら、単純に、上記のような照明手段を備えたドリンクホルダーをインストルメントパネルあるいはドアトリムに設けた空調ダクトの開口部近傍に設けた場合、この開口部が空調機能の面からインストルメントパネルの上部に形成されるため、ドリンクホルダーも高い位置に設置することになるので、照明手段の発光体から照射される照明光が車室内の前席シートに着座した運転者の視界に直接に入り易く、目障りになる場合がある。このように発光体が運転者の視界に直接入ると、特に、夜間等の照明時の運転がし辛くなり阻害感を及ぼすことになる。
【０００５】
さらに、上記空調ダクトの開口部は、上述のように、インストルメントの上部に形成されるが、これらの上方には、上部程車両後方側に位置するように傾斜したフロント（ウインドウ）ガラスが設けられている。また、車種によっては、上記空調ダクトの開口部は、サイド（ウインドウ）ガラスの下方側のドアトリム内に設けられているものもある。その場合、当該開口部近傍に設けられたドリンクホルダーの照明手段の発光体から照射される照明光が上記フロントガラスやサイドガラスに反射して乗員の視界に入る、所謂、映り込みが発生し易く、前席シートに着座した運転者にとってはこの映り込みがやはり目障りになるという問題もある。
【０００６】
そこで、この発明は、ドリンクホルダーに置かれた容器内の飲料の保温あるいは保冷機能を持たせた上で、ドリンクホルダーに照明手段を配置するに際して、その照明光が前席シートに着座した運転者の目障りになることを抑制し、また、その照明手段がフロントガラスやサイドガラスに映り込むことを抑制できるようにすることを、基本的な目的としてなされたものである。
【課題を解決するための手段】
【０００７】
このため、本願請求項１の発明（以下、第１の発明という）に係る車両用ドリンクホルダーは、車室前部のフロントガラスあるいはサイドガラス下方側で、空調ダクトの開口部が形成された車室内のインストルメントパネルあるいはドアトリムに設置されており、飲料の容器を保持可能とする凹部が形成されてなる車両用ドリンクホルダーにおいて、上記ドリンクホルダーは、上記空調ダクトの開口部からの空調風が上記ドリンクホルダーに保持された上記飲料の容器に接触可能となるよう設置されるとともに、上記ドリンクホルダーには、上記凹部内に照明光を照射する発光体を具備する照明手段が設けられており、上記発光体は、車室内の前席シートに着座した運転者の視界に直接に入らないように、設定されていることを特徴とするものである。
【０００８】
また、本願請求項２の発明（以下、第２の発明という）は、上記第１の発明を前提として、上記ドリンクホルダーは、インストルメントパネルの中央部、上記中央部に対し運転者から見てインストルメントパネルの左側部、上記中央部に対し運転者から見てインストルメントパネルの右側部の内少なくとも１つに設置されていることを特徴とするものである。
【０００９】
更に、本願請求項３の発明（以下、第３の発明という）は、上記第１あるいは２の発明を前提として、上記発光体は、上記凹部の車室前方側に対して照明光を照射するように設けられていることを特徴とするものである。
【００１０】
また更に、本願請求項４の発明（以下、第４の発明という）は、上記第１の発明を前提として、上記ドリンクホルダーは、上記インストルメントパネルに対して格納自在に設けられ、上記インストルメントパネルに対して着脱自在に設けられ、あるいは上記インストルメントパネル自体に形成されていることを特徴とするものである。
【発明の効果】
【００１１】
本願の第１の発明によれば、車室前部のフロントガラスあるいはサイドガラスの下方側で、空調ダクトの開口部が形成された車室内のインストルメントパネルあるいはドアトリムに設置され、飲料の容器を保持可能な凹部が形成されてなる車両用ドリンクホルダーを前提とし、空調ダクトの開口部からの空調風がドリンクホルダーの容器に保持された飲料の容器に接触可能となるよう設置されている。従って、運転者の好みに応じて空調風を利用でき、ドリンクホルダーに置かれた容器内の飲料の保温あるいは保冷機能を持たせることができることになる。
加えて、ドリンクホルダーには、飲料の容器を保持可能な凹部に照明光を照射する発光体を具備する照明手段が設けられており、発光体は、車室の前席シートに着座した運転者の視界に直接に入らないように照明手段が設定されている。従って、例えばトンネル内走行時あるいは夜間走行時など、車室内の照明を要する場合には、車室内全体を明るくしなくても、運転者は容易にドリンクホルダーの位置を認識することができる。この場合において、発光体は、運転者の視界に直接に入らないようになされており、間接照明となるので、直接照明の場合のように照明部分およびその近傍領域が過度に明るくなることを抑制でき、車室内をより落ち着いた和らいだ雰囲気にすることができる。しかも、発光体は、車室の前席シートに着座した運転者の視界に直接に入らないように設定されているので、前席シートに着座した運転者にとって照明が目障りになることがより有効に抑制される。すなわち、運転者にとって、照明が目に入って運転し辛くなることがより有効に回避できる。
【００１２】
また、本願の第２の発明によれば、上記第１の発明を前提として、ドリンクホルダーは、インストルメントパネルの中央部、中央部に対し運転者から見てインストルメントパネルの左側部、中央部に対し運転者から見てインストルメントパネルの右側部の内少なくとも１つに設置されている。基本的には上記第１の発明と同様の作用効果を奏することができる。特に、ドリンクホルダーは、インストルメントパネル上に設置されていることで、ドリンクホルダーの視認性、使い勝手を向上させることができる。
【００１３】
更に、本願の第３の発明によれば、上記第１の発明あるいは第２の発明を前提として、上記発光体は、上記凹部の車室前方側に対して照明光を照射するように設けられている。基本的には上記第１の発明あるいは第２の発明と同様の作用効果を奏することができる。更に、上記発光体から上記凹部の車室前方側に対して照明光を照射するように設けられているので、フロントガラスやサイドガラスに近く映り込みが生じ易いドリンクホルダーについて、これらガラスへの映り込みを抑制しつつ適切に照明することができる。つまり、飲料の容器が透過性の場合、発光体から照射される光の一部は飲料の容器自体を照らし、また当該光の一部は飲料の容器を通過して凹部の車室前方側を照らすことになる。これにより、運転者はこの照らされた部分を見ることで飲料の容器の視認性を向上できる。しかも、明るく照らされた凹部の車室前方側の部分は、ドリンクホルダーより上方側に位置するインストルメントパネルもしくはドアトリム、あるいは凹部の車室前方側の上端部がフロントガラスやサイドガラスに反射した運転者の視界から見て陰になる。また、発光体から車室前方側に照射される光は、飲料の容器から当該前方側に出る迄にある程度弱められる。これらによって、フロントガラスやサイドガラスへの映り込みを確実に低減できることになる。なお、発光体からの凹部の車室前方側に対する照明光は、インストルメントパネルもしくはドアトリム、あるいは凹部の車室前方側の上端部により遮られて運転者の視界内に映り込まなければ多少上方側を指向していてもよい。また、飲料の容器が缶や紙コップなどの非透過性の場合、発光体から照射される光は、基本的に飲料の容器の車室後方側の面を照らすため、ドリンクホルダーより後方に位置する運転手による飲料の容器の視認性を向上できる。しかも、この場合であれば、発光体から照射される光は、飲料の容器に遮られて車両前方側に進まないため、フロントガラスやサイドガラスへの映り込みを確実に防止できる。
【００１４】
また更に、本願の第４の発明によれば、上記第１の発明を前提として、ドリンクホルダーは、インストルメントパネルに対して格納自在に設けられ、インストルメントパネルに対して着脱自在に設けられ、あるいはインストルメントパネル自体に形成されている。基本的には上記第１の発明と同様の作用効果を奏することができる。特に、ドリンクホルダーをこれらの方式によりインストルメントパネルに保持することができるので、ドリンクホルダーの保持方式の適応範囲を広げることができる。
【発明を実施するための最良の形態】
【００１５】
以下、添付図面を参照して本発明の実施形態を説明する。
図１は、本実施形態に係るドリンクホルダーを設けた自動車の車室前部を概略的に示す斜視図である。この図に示すように、この自動車の車室前部には、車室の前側下部を覆うようにしてインストルメントパネル１０が配設され、インストルメントパネル１０の前側上方には、車室の前側上部を覆うフロント（ウインドウ）ガラス２０が配設されている。インストルメントパネル１０の前縁部は、フロントガラス２０の下縁部近傍に位置している。尚、車種によっては、フロント側部にサイド（ウインドウ）ガラス２５，２６が配設され、インストルメントパネル１０の前部側縁部がこのサイドガラス２５，２６の下縁部近傍に位置するものもある。
【００１６】
インストルメントパネル１０の車幅方向における略中央部分には、車両上下方向に亘ってセンタコンソール部１６が延設されており、このセンタコンソール部１６の前部の傾斜面部には、変速シフトレバー３１を挿通させるレバーガイド溝が形成されている。また、このレバーガイド溝の前側上方には空調装置の設定ダイヤル４１が、それぞれ配設されている。また、この空調設定ダイヤル４１の上方のインストルメントパネル１０には、オーディオ装置の各種操作ボタン４２が配設されている。更に、これら操作ボタン４２の上方には空調ダクトの開口部４３Ｂ，４３Ｃが位置している。
【００１７】
運転者から見て（以下、特に説明のない限り左右は運転者を基準とする。）インストルメントパネル１０のセンタコンソール部１６よりも右側部分は、図示しない運転席シートの前方に位置し、ステアリングホイール３５の前方のインストルメントパネル部分には、車速メータ４４及びエンジン回転数メータ４５等のメータ類が配置され、その更に右方には、空調ダクトの開口部４３Ｄが配置されている。この空調ダクトの開口部４３Ｄの下方のインストルメントパネル部分には、ドリンクホルダー３６Ｂが設置されている。ドリンクホルダー３６Ｂの下方には、例えばフォグランプ・スイッチ等を含むスイッチ類４６が配設されている。
【００１８】
一方、インストルメントパネル１０のセンタコンソール部１６よりも左側部分は、図示
しない助手席シートの前方に位置し、空調ダクトの開口部４３Ａが配置されている。この空調ダクトの開口部４３Ａの下方のインストルメントパネル部分には、ドリンクホルダー３６Ａが設置されている。
また、左右のフロントドア２１，２２の前端部には、主として車両の側部後方を視認す
るためのサイドミラーとしてのドアミラー２３，２４がそれぞれ設けられている。
【００１９】
以下、本実施形態に係るドリンクホルダーについて上記ドリンクホルダー３６Ｂを例示して説明する。
図２はドリンクホルダー３６Ｂの基本的な構造を示す斜視図であり、また、図３は、図２におけるＡ−Ａ線矢視の断面図である。
図２に示すように、ドリンクホルダー３６Ｂは、車両右側のインストルメントパネル１０に設置された空調ダクトの開口部４３Ｄの下側に格納自在に設置されている。ドリンクホルダーを必要とするときに引き出し、不要なときは格納できるようにしてある。ドリンクホルダー３６Ｂには、飲料の容器８０を保持できるように凹部３７が設けられている。この凹部３７に置かれた飲料の容器８０の上部の部分が、空調ダクトの開口部４３Ｄから吹き出している空調風が接触するように構成されている。従って、運転者の好みに応じて空調風を利用して、ドリンクホルダー３６Ｂに置かれた飲料の容器８０内の飲料の保温あるいは保冷機能を持たせることができる。
【００２０】
ドリンクホルダー３６Ｂの照明手段は、光源５０と発光体５１から成っている。発光体５１が光源５０に連結され光を導くことになる。ドリンクホルダー３６Ｂの凹部３７の車両前方左側部分には、光源５０（例えば、発光ダイオード，ハロゲンランプ，白熱灯など）が配設されている。凹部３７の壁３７ｂの下方部には、図３に示すように切欠部３８が設けられ、凹部３７の車両後方左側部分を挟んで所定長さに亘り設けられている。なお、切欠部３８は、凹部３７の中心から見て壁３７ｂから外方で壁３７ｂに対して平行に設定された壁３７ｃと、壁３７ｂおよび壁３７ｃとの段差部３７ｅに設けた壁３７ｂと壁３７ｃを連絡する段差面３７ｄとで形成されている。
発光体５１は、例えばアクリル樹脂やポリカーボネート樹脂などの導光性を有する材料を用いて、長尺の棒状に形成されており、柔軟性を有しているので、ある程度の曲率で曲がる曲線状部分でも支障なく敷設することができる。また、発光体５１は、図２に示すように、凹部３７の左側壁部内を通り、切欠部３８で凹部３７内を臨むように切欠部３８の右端部までドリンクホルダー３６Ｂに敷設されている。発光体５１の一部は、段差面３７ｄに埋め込まれており、発光体５１からの照明光６０は、凹部３７の車室前方側の壁３７ａへ照射されるようになっている。また、発光体５１からの照明光６０は、図２のようにやや右側前方側へ照射されるようにしてもよい。従って、例えばトンネル内走行時あるいは夜間走行時など、車室内の照明を要する場合には、車室内全体を明るくしなくても、運転者は容易にドリンクホルダー３６Ｂの位置を認識することができる。この場合において、発光体５１は、段差部３７ｅでその面直方向が下方側を指向する段差面３７ｄに敷設されていることで、運転者の視界に直接に入らないようになされており（図３の運転者の視線を示すＹを参照）、これにより凹部３７の下部は明るく照らされて間接照明となるので、直接照明の場合のように照明部分およびその近傍領域が過度に明るくなることを抑制でき、車室内をより落ち着いた和らいだ雰囲気にすることができる。しかも、前席シートに着座した運転者にとって照明が目障りになることがより有効に抑制され、運転者にとって、照明が目に入って運転し辛くなることがより有効に回避できる。
【００２１】
また、飲料の容器８０が透過性の場合、発光体５１から照射される光の一部は飲料の容器８０自体を照らし、また当該光の一部は飲料の容器８０を通過して凹部３７の車室前方側を照らすことになる。これにより、運転者はこの照らされた部分を見ることになるので飲料の容器８０の視認性を向上できる。しかも、明るく照らされた凹部３７の車室前方側の部分は、ドリンクホルダーより上方側に位置するインストルメントパネル１０あるいはドアトリムや凹部３７の車室前方側の上端部の陰になり、また、発光体５１から車室前方側に照射される光は、飲料の容器８０から当該前方側に出る時にある程度弱められる。これらによって、フロントガラス２０やサイドガラス２６への映り込みを確実に低減できることになる。また、飲料の容器８０が缶や紙コップなどの非透過性の場合、発光体５１から照射される光は、基本的に飲料の容器８０の車室後方側の面を照らすため、ドリンクホルダーより後方に位置する運転手や乗員による飲料の容器８０の視認性を向上できる。しかも、この場合であれば、発光体から照射される光は、飲料の容器８０に遮られて車両前方側に進まないため、フロントガラス２０やサイドガラス２６への映り込みを確実に防止できる。
【００２２】
次に、添付図面を参照して本発明の他の実施形態を説明する。
図４は、ドリンクホルダー３６Ｃの基本的な構造を示す斜視図であり、また、図５は、車両前方側から見たドリンクホルダー３６Ｃにおける照明手段の一部の組立て図である。図４に示すように、ドリンクホルダー３６Ｃを、インストルメントパネル１０の車幅方向における略中央部分に設置された図１における空調ダクトの開口部４３Ｂ，４３Ｃの下側に格納自在に設置されている。ドリンクホルダー３６Ｃには、飲料の容器を保持できるように凹部７０と凹部７１が２連で設けられている。それぞれの凹部に保持された飲料の容器の上部の部分が、空調ダクトの開口部４３Ｂ，４３Ｃから吹き出している空調風が接触するように構成されている。上記実施形態と同様、ドリンクホルダー３６Ｃに置かれた飲料の容器内の飲料の保温あるいは保冷機能を持たせることができる。
【００２３】
ドリンクホルダー３６Ｃの照明手段は、光源５２とアクリル導光板５６から成っている。アクリル導光板５６が光源５２からの光を導くことになる。この場合、アクリル導光板５６が発光体となる。アクリル導光板５６と不透明樹脂板５５とは図５に示すように接着し一体化されていて、ドリンクホルダー３６Ｃにおける凹部７０と凹部７１との境部分の車両後方側寄りに形成された溝部３９に取り付けられている。溝部３９の車両後方側に、開口部５７から溝部３９を臨むようにドリンクホルダー３６Ｃ内に、光源５２が配設されている。アクリル導光板５６の上面は不透明樹脂板５５で覆われているので上方には照射光は出ることはない。アクリル導光板５６の凹部７０，７１を臨む車幅方向両側面は斜め下方を指向するように形成されている。凹部７０内へアクリル導光板５６から照射される照明光６１は、凹部７０の車室前方側へ照射されるようになっている。また、図４に示すようにやや左側前方側へ照射されるようにしてもよい。同様に、凹部７１内へアクリル導光板５６から照射される照明光６２は、凹部７１の車室前方側へ照射されるようになっている。また、図４に示すようにやや右側前方側へ照射されるようにしてもよい。従って、上記実施形態と同様、前席シートに着座した運転者にとって照明が目障りになることがより有効に抑制され、照明が目に入って運転し辛くなることがより有効に回避できる。また、フロントガラス２０やサイドガラス２６への映り込みを確実に防止できる。
【００２４】
尚、上記実施形態では、インストルメントパネルに空調ダクトの開口部が設置された形態を取り上げたが、ドアトリムの上部に空調ダクトの開口部が設置された場合において、インストルメントパネルあるいはドアトリムに上述のようなドリンクホルダーを設けたものであっても本発明は適用される。
【００２５】
また、上記実施形態では、ドリンクホルダーがインストルメントパネルの右側部及びインストルメントパネルの中央部に設置された形態を取上げたが、中央部に対し運転者から見てインストルメントパネルの左側のドリンクホルダー３６Ａにも本発明は適用される。
【００２６】
また、上記実施形態では、ドリンクホルダーがインストルメントパネルに格納自在に設けられた形態を取り上げたが、ドリンクホルダーをインストルメントパネルとは別体にするのではなく、インストルメントパネルに一体的にドリンクホルダーを形成したものであっても本発明は適用される。さらに、ドリンクホルダーをインストルメントパネルとは別体として市販されるものであって、光源のバッテリを内蔵させて、空調ダクトの開口部のルーバーに対してクリップで着脱自在にしたものであっても良く、本発明は適用される。
【００２７】
また、上記実施形態では、光源と発光体を別体とされた形態を取上げたが、発光体自体が自ら光を照射するようなＥＬ（エレクトロルミネッセンス）を発光体としたものであっても本発明は適用される。
【００２８】
また、ドリンクホルダーとして、上記実施形態のように格納機構をさらに工夫して、例えば、ドリンクホルダーを引き出すと同時に収納されたドリンクホルダーの底部が下方側に変位するものであって、引き出されたドリンクホルダーの上部に上方から見て空間部が形成されていて、この空間部と上記底部とで飲料の容器を保持するものであっても本発明は適用される。この場合、ドリンクホルダーの上部の空間部の車室後方側の縦面に発光体を設置し、空間部の車室前方側の縦面を照射するよう構成することができる。
【産業上の利用可能性】
【００２９】
この発明は、ドリンクホルダーに置かれた容器内の飲料の保温あるいは保冷機能を持たせた上で、ドリンクホルダーに照明手段を配置するに際して、その照明光が前席シートに着座した運転者の目障りになることを抑制し、また、その照明手段がフロントガラスやサイドガラスに映り込むことを抑制できるようにしたもので、自動車等の車両に車両に設けられるドリンクホルダーへ有効に適用することができる。
【００３０】
尚、本発明は、上述の実施形態に限定されるものではなく、その要旨を逸脱しない範囲
において、種々の変更や改良等を行えることは言うまでもない。
【図面の簡単な説明】
【００３１】
【図１】本実施形態に係るドリンクホルダーを設けた自動車の車室前部を概略的に示す斜視図である。
【図２】上記ドリンクホルダーの基本的な構造を示す斜視図である。
【図３】図２におけるＡ−Ａ線矢視の断面図である。
【図４】他の実施形態に係るドリンクホルダーの基本的な構造を示す斜視図である。
【図５】車両前方側から見た他の実施形態に係るドリンクホルダーにおける照明手段の組立て図である。
【符号の説明】
【００３２】
１０  インストルメントパネル
２０  フロントガラス
２５，２６  サイドガラス
４３（４３Ａ，４３Ｂ，４３Ｃ，４３Ｄ）  空調ダクトの開口部
３６（３６Ａ，３６Ｂ，３６Ｃ）  ドリンクホルダー
５０，５２  光源
５１，５６  発光体
【図１】
2006111101.tif 000003
【図２】
2006111101.tif 000004
【図３】
2006111101.tif 000005
【図４】
2006111101.tif 000006
【図５】
2006111101.tif 000007